(57)【要約】【課題】表面処理工程における針係止部カバーの脱離を防止できるとともに、めっき工程後の針係止部カバーの回転のなめらかさを維持できるブローチピンを提供する。【解決手段】基体（１）と、針（２）と、接続部（３）と、第１の突起（４ｅ）とスリット（４ｄ）を形成する針係止部（４）と、針係止部を挟む一対の被覆部（８，９）を有し、一方の被覆部（８）の内面に針係止部の第１の突起を係合させることによって、この突起の軸線を中心として回動することができるように該針係止部に支持され、所定の回動位置において該針係止部のスリットと重なるスリット（８ｄ，９ｄ）を形成する針係止部カバー（５）とを含んでなるブローチピンであって、針係止部において第１の突起の形成面とは反対側の面に、針係止部カバーの他方の被覆部の内面に係合する第２の突起（４ｆ）を形成することを特徴とするブローチピンを提供する。【選択図】　　　図１
2004008359.tif 000002
【特許請求の範囲】
【請求項１】
基体と、
針を上記基体の一端に取り付ける接続部と、
上記基体の一端に取り付けられて該基体の他端に延びる針と、
上記基体の他端において該基体の長手軸線に交差する方向に突設し、上記接続部に対向する面に第１の突起を形成するとともに、上記針の先端部を側方から導入して係止させるスリットを形成する針係止部と、
上記針係止部を挟むように配設された一対の被覆部を有し、一方の被覆部の内面に上記針係止部の第１の突起を係合させることによって、この突起の軸線を中心として回動することができるように該針係止部に支持され、かつ、所定の回動位置において該針係止部のスリットと重なるスリットを形成する針係止部カバーと
を含んでなるブローチピンであって、
上記針係止部において上記第１の突起の形成面とは反対側の面に、上記針係止部カバーの他方の被覆部の内面に係合する第２の突起を形成することを特徴とするブローチピン。
【請求項２】
上記針係止部のスリットが、上記針を収納するための切欠きを有する請求項１に記載のブローチピン。
【請求項３】
上記接続部と上記針係止部が、上記基体に一体化されている請求項１又は請求項２に記載のブローチピン。
【発明の詳細な説明】
【０００１】
【発明の属する技術分野】
本発明は、ブローチピン、具体的には、基体の一端に取り付けられた針（ピン）を衣服等の対象物に刺し込んだ後、基体の他端に設けられた係止部に係止させることにより対象物にピン留めできるブローチピンに関する。
【０００２】
【従来の技術】
ブローチピンは、図７に示すように、細長い基体１０１と、針１０２と、これらを接続する接続部１０３と、針係止部１０４と、針係止部カバー１０５から構成される。スリット１０４ｄを形成する針係止部１０４は、スリット１０４ｄを通して針１０２の先端部を収納し係止する。針係止部１０４は、針係止部カバー１０５がはずれないように突起部１０４ｅを有する。基体１０１は、ブローチ固定用の穴Ｈを有する。
【０００３】
針係止部カバー１０５は、接続部１０３の方向に面する内側の半球部１０８と、接続部１０３との逆方向に面する外側の半球部１０９と、これらを連結する連結部１０７から構成される。針係止部１０４を挟み込む半球部１０８と１０９は、各々スリット１０８ｄと１０９ｄを形成する。針を収納する場合には、指で連結部１０７を針係止部１０４に沿って動かしながら、突起部１０４ｅの軸線の周りに回転して、針の導入方向に対して、スリット１０８ｄと１０９ｄと針係止部のスリット１０４ｄとが重なるようにする。この状態で針を導入した後、再び指で連結部１０７を針係止部１０４に沿って動かしながら、突起部１０４ｅの軸線の周りに回転すると、スリット１０８ｄと１０９ｄは、針係止部のスリット１０４ｃと重ならなくなり、ブローチピンの使用時に針のはずれを防止できる。また、針係止部カバー１０５は、針の先尖り部を隠し安全性を高めるだけでなく、外観の審美性も高めるため、広く使用されている。
【０００４】
【発明が解決しようとする課題】
組み立てられたブローチピンは、メッキ処理（本金メッキ、ロジュームメッキ、ニッケルメッキ等）を行って完成させるのが一般的である。しかし、アンティック調の外観（アンティックゴールド、アンティックシルバー等）を有するブローチピンは、下地メッキ処理（本金メッキ、ロジュームメッキ、ニッケルメッキ等）の後、上地色付け（黒等）、バレル等を用いた一部表面はがし、クリアー仕上げにて完成させる。前者は一般的処理ブローチピンと呼ばれ、後者は特殊処理ブローチピンと呼ばれる。なお、本金メッキは、ニッケルメッキの後に行うのが一般的である。一部表面はがし工程は、一般に、バレル液と研磨材等を入れたバレル中で行う。クリアー仕上げ工程は、通常ラッカークリアーが使用される。
【０００５】
特殊処理ブローチピンでは、回転バレルを用いた一部表面はがし工程において、針係止部カバー１０５の脱離の問題が生じていた。一方、脱離を防止するため、針係止部カバー１０５と針係止部１０４のすきまを小さくすると、下地メッキ処理により当該すきまが塞がれたり、クリアー仕上げにおいてクリアーラッカーがこのすきまに詰まるため、針係止部カバー１０５を針係止部１０４に沿って回転させることが困難となる問題が生じた。本願発明者は、針係止部カバー１０５と針係止部１０４とのすきまを、下地メッキ処理やクリアー仕上げ工程で塞がらず、かつ一部表面はがし工程で脱離しない大きさに設定することを試みたが、最適なすきまの大きさ自体が各工程における不確定要素により変動するため困難であった。また、本願発明者は、クリアーラッカーの濃度を調節することにより、クリアー仕上げ工程での詰まりを解消しようとしたが限られた成功に留まった。さらに、一般的ブローチピンのメッキ処理と特殊ブローチピンのメッキ処理における下地メッキ処理は、共通の工程であるため、この工程後に一部のブローチピンのみが特殊処理される場合もあり、針係止部カバー１０５と針係止部１０４のすきまを小さくした場合には、一般的ブローチピンにおいても針係止部カバー１０５を針係止部１０４に沿って回転させることが困難となる問題が発生した。
【０００６】
本発明は、バレル等を用いた一部表面はがし工程における針係止部カバーの脱離を防止できるとともに、クリアー仕上げ後においても針係止部カバーの回転のなめらかさを維持できるブローチピンを提供する。また、本発明は、このような特徴を保持しながら、簡便に製造できる構造を有するブローチピンを提供する。
【０００７】
【課題を解決するための手段】
本発明は、基体と、針を上記基体の一端に取り付ける接続部と、上記基体の一端に取り付けられて該基体の他端に延びる針と、上記基体の他端において該基体の長手軸線に交差する方向に突設し、上記接続部に対向する面に第１の突起を形成するとともに、上記針の先端部を側方から導入して係止させるスリットを形成する針係止部と、上記針係止部を挟むように配設された一対の被覆部を有し、一方の被覆部の内面に上記針係止部の第１の突起を係合させることによって、この突起の軸線を中心として回動することができるように該針係止部に支持され、かつ、所定の回動位置において該針係止部のスリットと重なるスリットを形成する針係止部カバーとを含んでなるブローチピンであって、上記針係止部において上記第１の突起の形成面とは反対側の面に、上記針係止部カバーの他方の被覆部の内面に係合する第２の突起を形成することを特徴とするブローチピンを提供する。
針係止部のスリットは、好ましくは、上記針を収納するための切欠きを有する。接続部と針係止部は、好ましくは、基体に一体化されている。
【０００８】
【実施の形態】
本発明に用いる基体の形状は、特に限定されず、線状、板状、棒状、円状、楕円状等が挙げられる。ブローチを固定する容易さの点から好ましくは細長い板状であるが、装飾的な目的等により湾曲部等を設けてもよい。基体の長手方向は、例えば、細長い形状では長い方向であり、楕円形では長径方向であり、円ではいずれの直径方向でもよい。基体の材質としては、特に限定されないが、真鍮、ステンレス、アルミニウム、金、銀、銅、合金等が挙げられる。基体の中央部は、ブローチをねじ等で固定するため、一以上の穴を開けておくことができる。
【０００９】
本発明に用いる針は、好ましくは弾性（バネ性）を備える金属線材で作られる。針は、基体の一端に取り付けられて他端に延びるため、基体と同様な長さを有する。針の一端は、ピン留めの対象への刺し込みを容易とするために、好ましくは先尖りとする。針の他端は、ピン留めされた場合に針がもとに戻ろうとする弾性により基体から遠ざかる方向に力を発生させることができるように基体に取り付ける。針の他端は、好ましくは、接続部において固定軸に巻きつけられ、ピン留めされた際に針の端が基体に押し付けられることによりバネとして作用する。
【００１０】
本発明を構成する接続部は、針を基体の一端に取り付けるものであり、対象物にピン留めされた場合に、針にもとに戻ろうとする弾性を与え、対象物の一部を取り込むために基体と針の間に一定の間隔（通常、数ｍｍ程度）を確保できるものであれば特に限定されない。針を基体に取り付けるために、針を直接基体に溶接したり、基体の幅方向の一対の立ち上がり部に接着された軸を設け、この軸に針を巻きつける態様もある。好ましくは、後述するように、基体の幅方向に一対の耳を設け、耳に一対の突起部を設ける。耳を折り曲げると、一対の立ち上がり部ともに、突起部同士が向かい合って軸を形成することとなり、基体から一体的に加工できる構造となるため有利である。
【００１１】
本発明を構成する針係止部は、基体の他端（接続部のある一端とは別の一端）において、基体の長手軸線に交差する方向に突設し、接続部に対向する面に第１の突起を形成し、これと反対側に第２の突起を形成するとともに、針の先端部を側方から導入して係止させるスリットを形成する。針の先端部をスリットに係止させると、針は係止前の状態に戻ろうとする弾性を有するため、基体から遠ざかる方向に力を発生させ、針はスリットに保持される。針を確実に係止する点にから、スリットは、針の導入口を小さくし、導入後の針を係止する部分を導入口よりも広い形状、例えば円状とすることが好ましい。
衣服等の対象物にピン留めする場合、対象物の一部を取り込む空間を確保するために、針をスリットに係止したときに、基体と針との間に一定の間隔ができるように針係止部を設ける。
【００１２】
本発明は、基体上の接続部に対向する側（内側）とその反対側（外側）の両側に突起部を設けたことを特徴する。両側に突起部を設けることにより、針係止部と針係止部カバーとの接触面積を大きくすることができ、バレル等を用いる一部表面はがし工程での脱落を防止しながら、メッキ工程やクリアー工程における詰まりを防止できる。突起部の形状は、脱落と詰まりを防止するのに充分な接触面積を確保できるものあれば限定されない。しかし、突起部の形状は、外観の審美性の点から、針係止部を覆う針係止部カバーの各突起部を半球状とすることが好ましいため、これに追従できる形状、例えば、同じく半球、又は半球の先端部を基体の長手方向に平行な軸に対して垂直に削除した形状（断面は円）等が望ましい。
内側の突起部は、針を導入するためのスリットを有する。外側の突起部は、針が短ければスリットを設けなくてもよいが、針の確実に保持する点においてスリットを設けることが好ましい。
【００１３】
針係止部のスリットは、好ましくは、針を保持するための切欠きを有する。この切欠き部に針を収納すれば、針が基体から遠ざかる方向に弾性力を有するため切欠き部に針がしっかりと保持され、バレル等を用いる一部表面はがし工程や使用時において針が外れる可能性を著しく低下できる。切欠きは、通常は接続部に対向する側（内側）の突起部のスリットのみに設ければ充分であるが、内側と外側の突起部の両方のスリットに設けてもよい。
【００１４】
本発明を構成する針係止部カバーは、針係止部を挟むように一対の被覆部と、これらを連結する連結部から構成される。一対の被覆部は、接続部の方向に面する内側の被覆部と、接続部との逆方向に面する外側の被覆部である。各被覆部を半球部状とし、全体として略球とすることは、審美性の点から好ましい。
内側の被覆部は、針を導入するためのスリットを有する。外側の被覆部は、針を短くすると針係止部の外側の突起部と同様にスリットを設けなくてもよいが、針の係止を確実にする点からスリットを設けることが好ましい。内側の被覆部のスリットは、それが被覆する係止部の内側の突起部のスリットと同様な大きさが必要であるが、外側の被覆部のスリットは、内側の被覆部のスリットより浅くて（小さくて）よい。
針係止部カバーのスリットは、針を針係止部に収納するため、針の導入方向に対して針係止部のスリットと重なるように設ける。この状態で針を導入した後、針係止部カバーの連結部を指で押しながら、針係止部にそって針係止部の突起の軸線を中心として回転させると、針係止部カバーのスリットと針係止部のスリットとが重ならなくなり、針係止部カバーが針係止部のスリットに蓋をすることなる。従って、ブローチピンの使用中に針がはずれることがなくなる。また、針の先尖り部を隠し安全性を高めるだけでなく、外観の審美性も高める。
【００１５】
【実施例】
以下、図面を用いて本発明のブローチピンを説明するが、本発明はこれらに限定されるものではない。
本発明のブローチピンの一態様を図１〜３に基づき説明する。図１は、針係止カバー５を装着前のブローチピンの斜視図であり、図２は、針係止カバー５を装着後のブローチピンの斜視図であり、図３は、針係止部４を示す拡大図である。
ブローチピンは、細長い基体１と、針２と、これらを接続する接続部３と、針係止部４と、針係止部カバー５とから構成される。基体１の中央部には、ブローチをねじ等で固定するための穴Ｈが設けてある。
基体１と針２との接続部３は、針の先細り部２ｃとは反対の一端を、基体の幅方向に設けられ、一対の基体の立ち上がり片３ａと３ａ’に渡した軸６にコイル状に巻きつけたものである。ピン留めによりコイル部２ｂから延びる針の端２ａが基体１と接するため、針が基体から遠ざかる方向に弾性力を起こさせる。
【００１６】
針係止部４は、基体１の他端に設けられ、針の先端２ａを係止するための本体４ｃと、本体４ｃに針を導入するためのスリット４ｄと、針係止部カバー５を保持するために、接続部３の方向に面する内側の突起部４ｅと、接続部３との逆方向に面する外側の突起部４ｆから構成される。突起部４ｅと４ｆは、連結部４ｇを有し、連結部４ｇで折り曲げる態様が一体的に加工できる点で好ましいが、二つの突起部を立ち上がり部１ａに接着する態様等も可能である。
【００１７】
針係止部カバー５は、接続部３の方向に面する内側の半球部８と、接続部３との逆方向に面する外側の半球部９と、これらを連結する連結部７から構成される。半球部８、９は各々スリット８ｄ、９ｄを有し、針を導入するため、図４（Ａ）に示すように、針の導入方向に対して針係止部４のスリット４ｄとスリット８ｄと９ｄが重なるようにする。この状態で針を導入した後、針係止部カバー５を針係止部４に沿って突起部４ｅと４ｆの軸線を中心として回転させると、図４（Ｂ）に示すように、スリット４ｄと８ｄと９ｄとが重なることがなくなり、ブローチピンの使用中に針がはずれることがなくなる。
【００１８】
針２の長さは、針係止部４に収納できる長さであり、かつ針係止部５の外側の半球部９内に収まる長さとすれば、針の先尖り部２ａが針係止部カバー５内に隠されることとなり、安全性が高められる。この場合、外側のスリット９ｄは、内側のスリット８ｄより小さくてもよい。
【００１９】
図５は、針係止部４は、好ましくは、針収納部に、基体から遠ざかる方向に針を保持するための切欠き４ｈを有する。ピン留めによりこの切欠き４ｈに針を収納すれば、針がもとに戻ろうとするために基体から遠ざかる方向に発生する弾性力を切欠き４ｈに集中させることができ、針が外れる可能性を著しく低下できる。
【００２０】
図６に示すように、接続部３と針係止部４を、基体１とともに一体化することが加工の容易さの点から好ましい。基体１の一端において、幅方法に一対の耳３ａと３ａ’を設け、耳に一対の突起部６ａと６ａ’を設ける。耳を折り曲げると一対の立ち上がり部３ａと３ａ’を形成し、折り曲げにより突起部６ａと６ａ’とが向かい合い軸６を形成し、接続部３を組み立てる。針２は、針のコイルを突起部６ａと６ａ’で挟むことにより設けられる。基体１の他端において、連結部４ｇを挟み突起部４ｅと４ｆを設け、突起部４ｅと基体１との間には立ち上がり部１ａを確保して折り曲げることにより、針係止部４を組み立てる。
また、連結部７を挟み内側の半球部８と外側の半球部９を一体的に設け、連結部７を折り曲げることにより、針係止部カバー５を組み立てる。半球部８と半球部９のくぼみは、連結部７を含む板をプレスして得ることができるため、これを利用して針係止部カバー５も一体的に加工することが好ましい。
【００２１】
【発明の効果】
本発明のブローチピンは、バレル等を用いる一部表面はがし工程において針係止部カバーの脱離を防止でき、ラッカーを用いるクリアー工程後も針係止部カバーの回転のなめらかさを維持できる。また、本発明のブローチピンは、このような特徴を保持しながら、一体的に製造できる構造とすることもできる。
【図面の簡単な説明】
【図１】針係止部カバーを装着前の本発明のブローチピンの斜視図である。
【図２】針係止部カバーを装着後の本発明のブローチピンの斜視図である。
【図３】本発明のブローチピンの針係止部を示す拡大図である。
【図４】針を挿入する際の針係止部カバーのスリットと針係止部のスリットとの位置関係を示す図であり、（Ａ）針を挿入する際の位置関係と、（Ｂ）針を挿入して針係止部カバーを回転した後の位置関係を示す図である。
【図５】本発明のブローチピンの針係止部を示す拡大図である。
【図６】（Ａ）本発明の基体と接続部と針係止部の展開図と、（Ｂ）本発明の針係止部カバーの展開図を示す。
【図７】針係止部カバーを装着前の従来のブローチピンの斜視図である。
【符号の説明】
１　　　　基体
１ａ　　　立ち上がり部
２　　　　針
２ａ　　　針の端
２ｂ　　　コイル部
２ｃ　　　先尖り部
３　　　　接続部
３ａ　　　立ち上がり片
３ａ’　　　立ち上がり片
４　　　　針係止部
４ｃ　　　針収納部
４ｄ　　　スリット
４ｅ　　　突起部
４ｆ　　　突起部
４ｇ　　　連結部
４ｈ　　　切欠き
５　　　　針係止部カバー
６　　　　軸
６ａ　　　突起部
６ａ’　　　　突起部
７　　　　連結部
８　　　　内側の半球部
８ｄ　　　スリット
９　　　　外側の半球部
９ｄ　　　スリット
１０１　　基体
１０２　　針
１０３　　接続部
１０４　　針係止部
１０４ｄ　スリット
１０４ｅ　突起部
１０５　　針係止部カバー
１０７　　連結部
１０８　　内側の半球部
１０８ｄ　スリット
１０９　　外側の半球部
１０９ｄ　スリット
Ｈ　ブローチ固定用の穴
【図１】
2004008359.tif 000003
【図２】
2004008359.tif 000004
【図３】
2004008359.tif 000005
【図４】
2004008359.tif 000006
【図５】
2004008359.tif 000007
【図６】
2004008359.tif 000008
【図７】
2004008359.tif 000009